(57)【要約】【課題】本開示は、ハウジングの内部構造を複雑化させなくても、レンズの位置ずれを抑制することができる照明装置を提供する。【解決手段】照明装置１は、ハウジング１１と、光源１９からハウジング１１の外側に出射される光の出射方向において光源１９と対向する位置にあり、光源１９からの光を通すレンズ１４と、を備える。ハウジング１１は、光源１９から離れる向きのレンズ１４の移動を規制する規制部１２ａと、レンズ１４を光源１９側に押し付ける押付部１２ｂと、を有する。【選択図】図１
2019179720.tif 000002
【特許請求の範囲】
【請求項１】
ハウジングと、
光源から前記ハウジングの外側に出射される光の出射方向において前記光源と対向する位置にあり、前記光源からの光を通すレンズと、
を備え、
前記ハウジングは、
前記光源から離れる向きの前記レンズの移動を規制する規制部と、
前記レンズを前記光源側に押し付ける押付部と、
を有する、
照明装置。
【請求項２】
前記ハウジングは、ハウジング本体と、弾性を有する押付ばね部と、更に有し、
前記押付ばね部は、前記ハウジング本体と、前記押付部と、を連結し、
前記押付ばね部は、前記光の光の出射方向と交差する方向に沿う弾性力を前記押付部に作用させる、
請求項１に記載の照明装置。
【請求項３】
前記ハウジングは、ハウジング本体と、弾性を有する規制ばね部と、更に有し、
前記規制ばね部は、前記ハウジング本体と、前記規制部と、を連結し、
前記規制ばね部は、前記光の出射方向と交差する方向に沿う弾性力を前記規制部に作用させる、
請求項１又は２に記載の照明装置。
【請求項４】
前記押付ばね部と、前記規制ばね部とは一体である、
請求項３に記載の照明装置。
【請求項５】
前記押付ばね部は、押付ばね部本体と、前記押付部に対して前記光源側にあり、前記押付ばね部本体と前記ハウジング本体と連結する連結部と、を備え、
前記押付ばね部本体は、前記光の出射方向に沿って、延びている、
前記規制ばね部は、規制ばね部本体と、前記規制部に対して前記光源側にあり、前記規制ばね部本体と前記ハウジング本体と結合する結合部と、を備え、
前記規制ばね部本体は、前記光の出射方向に沿って、延びている、
請求項３又は４に記載の照明装置。
【請求項６】
前記規制部は、前記光の出射方向と交差する平面であり、
前記押付部は、前記規制部に対して傾斜した傾斜面であり、
前記押付部は、前記規制部と隣接している、
請求項４に記載の照明装置。
【請求項７】
前記レンズである第１レンズとは別の第２レンズを、前記光源と前記第１レンズとの間に更に備え、
前記ハウジングは、前記第２レンズを、前記光源が実装された基板に対して押し付ける押圧部を更に有する、
請求項１〜６のいずれか１項に記載の照明装置。
【請求項８】
前記ハウジングは、前記光の出射方向と交差し、前記レンズを支持する平面において、前記レンズを位置決めする位置決め部を更に有する、
請求項１〜７のいずれか１項に記載の照明装置。
【請求項９】
前記押付部は、少なくとも２箇所にあって、
前記少なくとも２箇所の押付部は、前記レンズを挟んでいる、
請求項１〜８のいずれか１項に記載の照明装置。
【請求項１０】
請求項１〜９のいずれか１項に照明装置と、
表示器と、
を備える、
映像表示システム。
【請求項１１】
請求項１０に記載の映像表示システムと、
前記映像表示システムが搭載される移動体本体と、
を備える、
移動体。
【発明の詳細な説明】
【技術分野】
【０００１】
本開示は、照明装置、映像表示システム、及び移動体に関し、より詳細には、照明装置、照明装置を備える映像表示システム、及び映像表示システムを備える移動体に関する。
【背景技術】
【０００２】
従来、照明装置中のレンズを位置ずれさせにくくすることが求められている。そこで、例えば、特許文献１では、金属製で、レンズ表面に沿って長尺のばね部材をレンズに当接させることにより、レンズを回路基板に向かって付勢させた態様が開示されている。
【先行技術文献】
【特許文献】
【０００３】
【特許文献１】特開２０１７−１２６４６８号公報
【発明の概要】
【発明が解決しようとする課題】
【０００４】
しかし、特許文献１の場合、金属製のばね部材に伴う、部品の種類の増大、高精度の寸法管理が必要となり、また、ばね部材をハウジングに設けることにより、ハウジングの内部構造が複雑化して照明装置のサイズが増大しやすくなる。
【０００５】
本開示は上記の点に鑑みてなされたものであり、本開示の目的は、ハウジングの内部構造を複雑化させなくても、レンズの位置ずれを抑制することができる照明装置、照明装置を備える映像表示システム、及び映像表示システムを備える移動体を提供することである。
【課題を解決するための手段】
【０００６】
本開示の一態様に係る照明装置は、ハウジングと、光源から前記ハウジングの外側に出射される光の出射方向において前記光源と対向する位置にあり、前記光源からの光を通すレンズと、を備える。前記ハウジングは、前記光源から離れる向きの前記レンズの移動を規制する規制部と、前記レンズを前記光源側に押し付ける押付部と、を有する。
【０００７】
本開示の一態様に係る映像表示システムは、前記照明装置と、表示器と、を備える。
【０００８】
本開示の一態様に係る移動体は、前記映像表示システムと、前記映像表示システムが搭載される移動体本体と、を備える。
【発明の効果】
【０００９】
本開示によれば、ハウジングの内部構造を複雑化させなくても、レンズの位置ずれを抑制することができる。
【図面の簡単な説明】
【００１０】
【図１】図１は、一実施形態に係る映像表示システムの一部（具体的には、第１実施形態に係る照明装置と、表示器とを備える部分）の一例であって、光源とレンズとが対向する方向に沿った一断面を示す断面図である。
【図２】図２は、同上の映像表示システムの一部の分解斜視図である。
【図３】図３Ａは、同上の照明装置の断面において、その一部を拡大させた断面図である。図３Ｂは、同上の照明装置において、光源とレンズとが対向する方向に沿った別の断面の一部を拡大させた断面図である。
【図４】図４は、光源とレンズとが対向する方向に沿って光源側へ見たときの、同上の照明装置の内部を示す平面図である。
【図５】図５Ａは、第２実施形態に係る照明装置の一例であって、ハウジング内でレンズを保持させた態様を示す斜視図である。図５Ｂは、同上の照明装置において、光源とレンズとが対向する方向に沿った一断面示す断面図である。図５Ｃは、同上の照明装置において、光源とレンズとが対向する方向に沿った他の一断面示す断面図である。
【図６】図６は、一実施形態に係る表示システムを示す概念図である。
【図７】図７は、同上の映像表示システムを備える移動体を示す概念図である。
【図８】図８は、同上の移動体内でのユーザの視野を示す概念図である。
【発明を実施するための形態】
【００１１】
下記説明の実施形態は、本開示を実施するための様々な形態の例に過ぎない。以下の実施形態は、本開示の目的を達成できれば、設計等に応じて種々の変更が可能である。設計等に応じて種々の組み合わせも可能である。
【００１２】
また、以下の照明装置は、例えば、自動車等の移動体中でヘッドアップディスプレイ（ＨＵＤ：Ｈｅａｄ−Ｕｐ  Ｄｉｓｐｌａｙ）を実施するために用いられる装置である。
【００１３】
＜照明装置＞
（第１実施形態）
まず、第１実施形態に係る照明装置１を、図１〜図５を参照して説明する。ここで、図１及び図４で示されるＸ方向、Ｙ方向、及びＺ方向は、照明装置１の３次元構造を説明するために用いられている。このため、本実施形態の説明をより明確にするため、図１に示される断面図の後方にある面を照明装置１の後面とした場合、Ｙ方向を前後方向とし、Ｘ方向を左右方向とし、Ｚ方向を上下方向とすることもある。また、Ｚ方向は第１方向であってもよく、Ｘ方向は第２方向であってもよく、そして、Ｙ方向は第３方向であってもよい。
【００１４】
本実施形態に係る照明装置１は、図１のように、ハウジング１１と、光源１９からの光を通すレンズ１４とを備える。このような照明装置１において、Ｚ方向は光源１９からハウジング１１の外側に出射される光の出射方向である。また、Ｚ方向はハウジング１１の深さ方向である。Ｚ方向は光源１９とレンズ１４とが対向する方向である。Ｘ方向はＺ方向と直交する方向であり、Ｙ方向はＸ方向と直交する方向である。また、本実施形態において「直交する」という用語は、Ｘ方向とＺ方向との間の角度、及びＹ方向とＸ方向との間の角度が９０°であることに限定していない。すなわち、「直交する」という用語は、Ｘ方向とＺ方向との間の角度、及びＹ方向とＸ方向との間の角度が実質的に９０°であることも含む。このため、Ｘ方向はＺ方向と交差する方向であり、Ｙ方向はＸ方向と交差する方向である。
【００１５】
ハウジング１１は、固定部２５、２５と、ハウジング本体１１ｄと、ばね部１３と、規制部１２ａと、押付部１２ｂと、中子１６と、支持台１６ｅとを備える。また、ハウジング１１は、Ｚ方向に沿って、上端から下端にわたって開口された中空形状を有する部材であって、その内側に、少なくともレンズ１４を保持している。
【００１６】
固定部２５の各々は、ハウジング本体１１ｄの外壁と一体成形されている。固定部２５の各々は、ハウジング１１をＹ方向から見たときに、前方から後方へ下り傾斜している。そして、固定部２５の各々は、複数の貫通孔２６を備える。このような固定部２５、２５は、例えば、後述の移動体１００に照明装置１を固定するための部位である。
【００１７】
ハウジング本体１１ｄは、ハウジング１１の外形状を構成する部位である。また、ハウジング本体１１ｄは、Ｚ方向に沿って、上端から下端にわたって開口された中空形状を有する。ハウジング本体１１ｄをＸ方向から見たときに、ハウジング本体１１ｄの上端は、Ｙ方向に沿った直線上の第１端から第２端にわたって下り傾斜している。すなわち、ハウジング本体１１ｄの上端は、後方から前方にわたって下り傾斜している。このようなハウジング本体１１ｄは、その内側に、少なくともレンズ１４と、ばね部１３と、規制部１２ａと、押付部１２ｂと、中子１６と、支持台１６ｅとを収容している。
【００１８】
中子１６は、ハウジング本体１１ｄの内側で、レンズ１４の下方にある部位である。中子１６は、Ｚ方向に沿って、上端から下端にわたって開口された中空構造を有する。そして、中子１６の下端は、基板１８と接触している。
【００１９】
支持台１６ｅは、中子１６の上端と、ハウジング本体１１ｄの内壁とを接続する部位である。すなわち、中子１６と、ハウジング本体１１ｄと、支持台１６ｅとは、一体である。この場合、支持台１６ｅは、中子１６及びハウジング本体１１ｄと一体に成形されていることが好ましい。また、支持台１６ｅは、レンズ１４を支持する部位である。この場合、支持台１６ｅは、レンズ１４を支持するための平面を備える。このような平面は、Ｚ方向と交差する。言い換えると、支持台１６ｅは、Ｚ方向と交差する。
【００２０】
支持台１６ｅは、図４Ｃのように、Ｚ方向と交差する平面において、レンズ１４を位置決めするための位置決め部１７を更に備える。位置決め部１７は、リブ１７ａと、第１柱状体１７ｂと、第２柱状体１７ｃとを備える。
【００２１】
リブ１７ａは、平面視で、Ｘ方向においてレンズ１４の中央部に位置すると共に、Ｙ方向に沿ってハウジング本体１１ｄの内壁から突出した構造を有する。このようなリブ１７ａは、ハウジング本体１１ｄのうち、前方の内壁から後方へ突出している。リブ１７ａの高さは、レンズ１４の位置決めすることができればよく、適宜に設定できる。リブ１７ａの高さは、例えば、ハウジング本体１１ｄの内壁の高さ以下である。
【００２２】
第１柱状体１７ｂと、第２柱状体１７ｃとは、平面視で、それぞれＸ方向の両端にあるハウジング本体１１ｄの内壁から突出すると共に、Ｙ方向においてリブ１７ａとは反対側に位置する。このような第１柱状体１７ｂ、及び第２柱状体１７ｃは、ハウジング本体１１ｄのうち、後方の内壁に近づけて配置されている。この場合、第１柱状体１７ｂ、及び第２柱状体１７ｃをＸ方向から見たときに、両後面はハウジング本体１１ｄの内壁から離間されている。第１柱状体１７ｂ、及び第２柱状体１７ｃの高さは、レンズ１４の位置決めすることができればよく、適宜に設定できる。例えば、第１柱状体１７ｂ、及び第２柱状体１７ｃの高さは、例えば、リブ１７ａの高さよりも高い。また、第１柱状体１７ｂ、及び第２柱状体１７ｃの高さは、ハウジング本体１１ｄの内壁の高さ以下である。
【００２３】
規制部１２ａは、光源１９から離れる向きのレンズ１４の移動を規制する部位である。押付部１２ｂは、レンズ１４を光源１９側に押し付ける部位である。
【００２４】
ばね部１３は、押付ばね部と、規制ばね部とを一体成形させた部位である。すなわち、ばね部１３は、押付ばね部と、規制ばね部との両方を兼ねる部位である。ばね部１３は、Ｘ方向に沿う弾性力を押付部１２ｂと、規制部１２ａとに作用させる弾性を有する。ばね部１３は、ハウジング本体１１ｄと、押付部１２ｂと、規制部１２ａとを連結する。
【００２５】
ばね部１３は、ばね部本体１３ｃと、接続部１３ｇとを備える。ばね部本体１３ｃは、ばね部１３に弾性を付与する部位である。ばね部本体１３ｃは、Ｚ方向に沿って延びている。ばね部本体１３ｃは、ばね部１３に弾性を付与することができればよく、ばね部本体１３ｃの具体的な態様は特に限定されない。ばね部本体１３ｃの形状は、例えば、板状である。また、ばね部本体１３ｃは、任意のばね形状を採用できる。
【００２６】
接続部１３ｇは、押付部１２ｂと、規制部１２ａとに対して光源１９側にある。接続部１３ｇは、ハウジング本体１１ｄ、及びばね部本体１３ｃと一体となって接続している。この場合、接続部１３ｇは、ハウジング本体１１ｄ、及びばね部本体１３ｃと一体成形されている。具体的には、接続部１３ｇは、ハウジング本体１１ｄ、及びばね部本体１３ｃの下端と一体成形されている。接続部１３ｇは、ばね部本体１３ｃの下端と接続しているため、ばね部１３は、接続部１３ｇ以外の位置で、ハウジング本体１１ｄと離間されている。例えば、ばね部本体１３ｃの、胴部、及び上端は、接続部１３ｇによりハウジング本体１１ｄと離間されている。
【００２７】
また、ばね部１３は、その上端の位置で、Ｘ方向に沿ってレンズ１４側へ突出した先端を備える。ばね部１３の先端の下面は、Ｚ方向と交差する平面と、レンズ１４の外側へ下り傾斜した傾斜面とを備える。具体的には、ばね部１３の先端の下面は、後述の受け板１４ａの上面と平行な平面と、外側へ下り傾斜した傾斜面とを備える。このようなばね部１３の先端の下面のうち、Ｚ方向と交差する平面が規制部１２ａであり、レンズ１４の外側へ下り傾斜した傾斜面が押付部１２ｂである（例えば、図３Ａ参照）。この場合、押付部１２ｂは、規制部１２ａと隣接している。具体的には、押付部１２ｂは、規制部１２ａと連続して接続している。すなわち、連続面において、押付部１２ｂは規制部１２ａと接続している。この場合、規制部１２ａは、Ｘ方向に沿って、押付部１２ｂからレンズ１４に向かって延びている。具体的には、規制部１２ａは、押付部１２ｂの上端からレンズ１４に向かって延びている。
【００２８】
ばね部１３は、上記の通り、押付ばね部と、規制ばね部との両方を兼ねる部位であるため、接続部１３ｇは、後述の連結部、及び結合部の両方を兼ねる部位である。また、ばね部本体１３ｃは、後述の押付ばね部本体、及び規制ばね部本体の両方を兼ねる部位である。
【００２９】
本実施形態に係る押付ばね部は、Ｘ方向に沿う弾性力を押付部１２ｂに作用させる弾性を有する。押付ばね部は、ハウジング本体１１ｄと、押付部１２ｂとを連結する。押付ばね部は、押付ばね部本体と、連結部とを備える。押付ばね部本体は、押付ばね部に弾性を付与する。押付ばね部本体は、Ｚ方向に沿って延びている。押付ばね部本体は、押付ばね部に弾性を付与することができればよく、押付ばね部本体の具体的な態様は特に限定されない。押付ばね部本体の形状は、例えば、板状である。また、押付ばね部本体は、任意のばね形状を採用できる。
【００３０】
連結部は、押付部１２ｂに対して光源１９側にある。連結部は、ハウジング本体１１ｄ、及び押付ばね部本体と一体にして接続している。この場合、連結部は、ハウジング本体１１ｄ、及び押付ばね部本体と一体成形されている。具体的には、連結部は、ハウジング本体１１ｄ、及び押付ばね部本体の下端と一体成形されている。連結部は、押付ばね部本体の下端と接続しているため、押付ばね部は、連結部以外の位置で、ハウジング本体１１ｄと離間されている。例えば、押付ばね部本体の、胴部、及び上端は、連結部によりハウジング本体１１ｄと離間されている。
【００３１】
また、規制ばね部は、Ｘ方向に沿う弾性力を規制部１２ａに作用させる弾性を有する。規制ばね部は、ハウジング本体１１ｄと、規制部１２ａとを連結する。規制ばね部は、規制ばね部本体と、結合部とを備える。規制ばね部本体は、規制ばね部に弾性を付与する部位である。規制ばね部本体は、Ｚ方向に沿って延びている。規制ばね部本体は、規制ばね部に弾性を付与することができればよく、規制ばね部本体の具体的な態様は特に限定されない。規制ばね部本体の形状は、例えば、板状である。また、規制ばね部本体は、任意のばね形状を採用できる。
【００３２】
結合部は、規制部１２ａに対して光源１９側にある。結合部は、ハウジング本体１１ｄ、及び規制ばね部本体と一体にして接続している。この場合、結合部は、ハウジング本体１１ｄ、及び規制ばね部本体と一体成形されている。具体的には、結合部は、ハウジング本体１１ｄ、及び規制ばね部本体の下端と一体成形されている。結合部は、規制ばね部本体の下端と接続しているため、規制ばね部は、結合部以外の位置で、ハウジング本体１１ｄと離間されている。例えば、規制ばね部本体の、胴部、及び上端は、結合部によりハウジング本体１１ｄと離間されている。
【００３３】
押付部１２ｂは、Ｘ方向において、レンズ１４の両端を挟むようにして少なくとも１対設けられている。すなわち、押付部１２ｂは、レンズ１４の両端を挟むようにして少なくとも２箇所に設けられている。少なくとも２箇所の押付部１２ｂ、１２ｂは、その間にレンズ１４を挟んでいる。この場合、レンズ１４は押付部１２ｂ、１２ｂ間に保持されている共に、光源１９側に押し付けられている。レンズ１４を押付部１２ｂ、１２ｂ間に保持することで、Ｘ方向及びＹ方向に沿った、レンズ１４の位置ずれを抑制することができる。レンズ１４を光源１９側に押し付けることで、押付部１２ｂでも光源１９から離れる向きにレンズ１４の移動を規制することができる。また、押付部１２ｂは、レンズ１４を支持台１６ｅとに押し付けている。このため、レンズ１４を支持台１６ｅに押し付けて保持させることができる。押付部１２ｂは、Ｘ方向に沿って、中子１６の外側に位置している。
【００３４】
また、規制部１２ａは、Ｘ方向において、レンズ１４の両端を挟むようにして少なくとも１対設けられている。すなわち、規制部１２ａは、レンズ１４の両端を挟むようにして少なくとも２箇所に設けられている。この場合、Ｘ方向において、レンズ１４の両端に規制部１２ａがあるため、光源１９から離れる向きにレンズ１４が移動することを規制できる。すなわち、レンズ１４が押付部１２ｂから脱落しても、規制部１２ａが光源１９から離れる向きにレンズ１４が移動することを規制できる。規制部１２ａの各々は、Ｘ方向に沿って、中子１６の外側に位置している。
【００３５】
規制部１２ａと押付部１２ｂとが中子１６の外側に位置しているため、ばね部１３も中子１６の外側に位置している。具体的には、ばね部１３は、ハウジング本体１１ｄと中子１６との間にある。この場合、ばね部１３は、中子１６と離間されている。
【００３６】
また、ハウジング１１は、Ｚ方向に沿って、接続部１３ｇから下方に延出した脚部を更に備える。この脚部は、後述の基板１８と接触している。具体的には、ばね部１３の下方にある脚部は、基板１８と接触している（例えば、図１参照）。
【００３７】
基板１８には、光源１９が実装されている（例えば、図１参照）。この場合、複数の光源１９をＸ方向に沿って配置させてもよく、または照明装置１の目的を達成できれば、１つの光源を基板１８に実装させてもよい。光源１９の一例は、ＬＥＤ（Ｌｉｇｈｔ  Ｅｍｉｔｔｉｎｇ  Ｄｉｏｄｅ）である。また、基板１８には、Ｘ方向に沿った、光源１９よりも外側の位置に貫通孔１８ａ、１８ｂが設けられている。貫通孔１８ａ、１８ｂの各々は、Ｚ方向に沿って設けられた縦孔である。
【００３８】
本実施形態に係るハウジング１１は、上記の通り、少なくともハウジング本体１１ｄと、ばね部１３と、規制部１２ａと、押付部１２ｂと、中子１６と、支持台１６ｅとを一体に成形させた部材である。このようなハウジング１１では、押付部１２ｂでレンズ１４をハウジング１１の内に保持させることができ、さらに、レンズ１４が押付部１２ｂから脱落しても、規制部１２ａでレンズ１４の脱落を規制することができる。このため、押付部１２ｂと規制部１２ａとでレンズ１４をハウジング１１の内に保持することができる。しかも、ハウジング１１の各部位を一体化させることで、ハウジング１１とは別の部品の種類を減らすことができ、これにより、ハウジング１１の内部構造を複雑化させなくても、レンズ１４の位置ずれを抑制することができる。さらに、ハウジング１１の内部構造を一体化させることで、ハウジング１１とは別の部品の寸法管理を軽減でき、照明装置１のサイズを小さくすることができる。
【００３９】
また、レンズ１４は、レンズ本体１４ｅと、受け板１４ａとを備える。
【００４０】
レンズ本体１４ｅは、Ｚ方向に沿って受け板１４ａから突出した曲面を有する。このようなレンズ本体１４ｅは、後述の表示パネル２７ｃに光源１９からの光を効率よく照射するために、光源１９からの光の角度を調節する。すなわち、レンズ本体１４ｅ内で光源１９からの光を屈折させることにより、Ｚ方向に平行な光の割合を増大させる。
【００４１】
受け板１４ａは、レンズ本体１４ｅと一体成形されており、レンズ本体１４ｅの下端側にある板状の部位である。また、受け板１４ａの平面形状は、レンズ本体１４ｅよりも大きい。このため、受け板１４ａは、レンズ本体１４ｅの外周縁よりも外側で露出した形状を有する。受け板１４ａは、規制部１２ａによる規制と、押付部１２ｂによる押し付けとを受けると共に、レンズ本体１４ｅを支持している。受け板１４ａの下面は、Ｘ方向の両端において、内側に下り傾斜した傾斜面を有する。これにより、レンズ１４を設置させる際に、規制部１２ａ及び押付部１２ｂへの負荷を軽減することができる。
【００４２】
本実施形態では、レンズ１４（具体的には、受け板１４ａ）は押付部１２ｂと接触している。また、規制部１２ａは、Ｘ方向に沿って、押付部１２ｂよりもハウジング１１の内側にある。この場合、レンズ１４（具体的には、受け板１４ａ）は規制部１２ａと接触していてもよく、規制部１２ａと離間していてもよい。
【００４３】
受け板１４ａは、図４のように、その側端を切り欠くようにして形成された複数の凹所１４ｂ、１４ｃ、１４ｄを備える。すなわち、受け板１４ａは、第１凹所１４ｂ、第２凹所１４ｃ、及び第３凹所１４ｄを備える。第１凹所１４ｂは、リブ１７ａに対応する位置に設けられている。第２凹所１４ｃは、第１柱状体１７ｂに対応する位置に設けられている。第３凹所１４ｄは、第２柱状体１７ｃに対応する位置に設けられている。これにより、レンズ１４の設置後、第１凹所１４ｂとリブ１７ａとの嵌合により、レンズ１４はＸ方向にずれにくくなる。また、第２凹所１４ｃと第１柱状体１７ｂとの嵌合、及び第３凹所１４ｄと第２柱状体１７ｂとの嵌合により、レンズ１４はＹ方向にずれにくくなる。
【００４４】
本実施形態では、支持台１６ｅは、その上面から突出するようにして形成され、かつレンズ本体１４ｅの平面形状の外周縁に沿って設けられた、複数の突起（第１突起）１６ａを備えてもよい（例えば、図３Ａ参照）。または、支持台１６ｅは突起１６ａを備えなくてもよい。支持台１６ｅが突起１６ａを備えない場合、受け板１４ａを少なくとも支持台１６ｅに接触させる。また、支持台１６ｅが突起１６ａを備える場合、レンズ１４を突起１６ａで支持台１６ｅに押し付けることができる。この場合、支持台１６ｅは少なくとも３つの突起１６ａを備えることが好ましい。これにより、レンズ１４のずれを低減することができる。より好ましくは、支持台１６ｅは少なくとも４つの突起１６ａを備える。特に好ましくは、支持台１６ｅは４つの突起１６ａを備える。
【００４５】
また、本実施形態に係る照明装置１は、第２レンズ１５を更に備える。第２レンズ１５は、光源１９からの光を通し、レンズ１４と異なる部材である。第２レンズ１５は、光源１９とレンズ１４との間に設けられている。このように、照明装置１が第２レンズ１５を備える場合、レンズ１４は第１レンズである。この場合、レンズ本体１４ｅは第１レンズ本体であり、受け板１４ａは第１受け板である。
【００４６】
第２レンズ１５は、第２レンズ本体１５ｄと、第２受け板１５ａとを備える。
【００４７】
第２レンズ本体１５ｄは、Ｚ方向に沿って受け板１４ａから上方に突出した曲面を有する。また、第２レンズ本体１５ｄは、Ｚ方向に沿って受け板１４ａから下方に突出した受光部１５ｆを更に備える。受光部１５ｆは、光源１９からの光を受けるための部位である。光源１９からの光を効率よく受光部１５ｆで受けるため、受光部１５ｆの下端は、光源１９に近づけて配置されている。この場合、受光部１５ｆの下端は、光源１９の形状、又は複数の光源１９が配置された形状に沿って形成された凹溝を備えてもよい。また、第２レンズ本体１５ｄを上方から見たとき、第２レンズ本体１５ｄの平面形状は、第１レンズ本体１４ｅよりも小さい。このため、第２レンズ本体１５ｄは、受光部１５ｆで受けた光を効率よく第１レンズ１４に照射するために調節された曲面を有する。第２レンズ本体１５ｄの曲面は、受光部１５ｆで受けた光を効率よく第１レンズ１４に照射できればよく、第２レンズ本体１５ｄの曲面の具体的な態様は特に限定されない。第１レンズ本体１４ｅ、及び第２レンズ本体１５ｄの各々の曲面が滑面である場合、Ｚ方向に沿った一断面において、例えば、第２レンズ本体１５ｄの曲面の曲率は、第１レンズ本体１４ｅよりも小さい。
【００４８】
第２受け板１５ａは、第２レンズ本体１５ｄと一体成形されている。第２受け板１５ａは、Ｚ方向において、第２レンズ本体１５ｄの上端と下端との間に位置する板状の部位である。第２受け板１５ａの平面形状は、第２レンズ本体１５ｄよりも大きい。このため、第２受け板１５ａは、第２レンズ本体１５ｄの外周縁よりも外側で露出した形状を有する。第２受け板１５ａは、後述の押圧部１６ｂによる押し付けを受けると共に、第２レンズ本体１５ｄを基板１８から離間させた位置で保持している。この場合、第２受け板１５ａは、後述の脚部１５ｂに支持されている。
【００４９】
また、第２レンズ１５は、脚部１５ｂと、貫通孔１５ｅとを更に備える。貫通孔１５ｅは、Ｘ方向において、第２受け板１５ａの両端側に設けられた少なくとも一対の孔から構成されている。貫通孔１５ｅは、Ｚ方向に沿って設けられた縦孔である。脚部１５ｂは、貫通孔１５ｅ以外の位置で、第２受け板１５ａの外周縁に沿って設けられている。この場合、脚部１５ｂは第２受け板１５ａの外周縁に沿って連続して形成されていてもよく、又は不連続に形成されてもいてもよい。また、第２受け板１５ａの平面形状が矩形、又は台形等の矩形に近い形状である場合、脚部１５ｂは、第２受け板１５ａの四隅に設けられてもよい。脚部１５ｂは、その下端が基板１８と接触しすることで受光部１５ｆを基板１８と離間させている。脚部１５ｂの高さは、受光部１５ｆを光源１９に近づけると共に、受光部１５ｆを基板１８と離間させていればよく、脚部１５ｂの高さは適宜に調節できる。
【００５０】
脚部１５ｂは、その下端を開口させた縦溝１５ｃを備えてもよい。この場合、第２レンズ１５の成形時に脚部１５ｂにより収縮を抑えることができる。すなわち、第２レンズ１５が脚部１５ｂを備えても、第２レンズ１５の寸法精度を高めることができる。
【００５１】
また、中子１６は、押圧部１６ｂと、ピン１６ｃとを更に備える（例えば、図１参照）。押圧部１６ｂは、ハウジング本体１１ｄと一体成形された部位である。このような押圧部１６ｂは、中子１６の内側で、第２受け板１５ａの上方に位置している。そして、押圧部１６ｂは、第２受け板１５ａ（具体的には、脚部１５ｂ）を基板１８に対して押し付けている。この場合、押圧部１６ｂはハウジング本体１１ｄと一体であるため、ハウジング１１は第２レンズ１５を基板１８に押し付けている。これにより、ハウジング１１の内部構造を複雑化させなくても、第２レンズ１５の位置ずれを抑制することができる。ハウジング１１の内部構造を一体化させることで、ハウジング１１とは別の部品の種類が減り、部品の寸法管理を軽減できる。さらに、照明装置１のサイズを小さくすることができる。
【００５２】
押圧部１６ｂは、第２受け板１５ａの外周縁に沿って、中子１６の内壁から第２レンズ本体１５ｄに向かって突出するようにして設けられている。この場合、押圧部１６ｂは、連続して中子１６の内壁に設けられてもよく、又は不連続で中子１６の内壁に設けられてもよい。
【００５３】
また、押圧部１６ｂは、その下面から下方へ突出するようにして形成され、かつ第２受け板１５ａの外周縁に沿って設けられた複数の突起（第２突起）１６ｆを備えてもよく（例えば、図３Ｂ参照）。または、押圧部１６ｂは突起１６ｆを備えなくてもよい。押圧部１６ｂが突起１６ｆを備えない場合、押圧部１６ｂの下面を第２受け板１５ａの上面と接触させる。また、押圧部１６ｂが突起１６ｆを備える場合、押圧部１６ｂは突起１６ｆで第２レンズ１５を基板１８に押し付けることができる。この場合、押圧部１６ｂは少なくとも３つの突起１６ｆを備えることが好ましい。これにより、第２レンズ１５のずれを低減することができる。
【００５４】
ピン１６ｃは、押圧部１６ｂの下面から突出するようにして形成された柱状の部位である。ピン１６ｃは、貫通孔１５ｅ、１８ａの両方に対応する位置に設けられている。このため、ピン１６ｃは、貫通孔１５ｅ、１８ａの両方を貫通する長さを有する。これにより、ピン１６ｃは、照明装置１の組み立て時に第２レンズ１５、及び基板１８の各々の位置決めをすると共に、照明装置１の組み立て後に第２レンズ１５、及び基板１８の各々のずれを抑制する。
【００５５】
照明装置１は、放熱フィン２１と、放熱パッド２３とを更に備える（例えば、図１参照）。
【００５６】
放熱パッド２３は、光源１９で生じた熱を吸収して放熱フィン２１に放熱するために、基板１８と放熱フィン２１との間に配置されている。この場合、放熱パッド２３は、基板１８及び放熱フィン２１と接触している。放熱パッド２３は放熱フィン２１に放熱できればよく、放熱パッド２３は任意の放熱材料から構成される。
【００５７】
放熱フィン２１は、光源１９からの熱を外部に放熱する部材である。放熱フィン２１は、光源１９からの熱を外部に放熱できればよく、任意の放熱構造及び材料を採用できる。また、放熱フィン２１は、貫通孔１８ｂ、１８ｂに対応した位置に貫通孔２１ａ、２１ａを備える（例えば、図２参照）。そして、放熱フィン２１は、固定具２２、２２により、ハウジング１１に固定されている。具体的には、各固定具２２は、貫通孔１８ｂ、２１ａを貫通して放熱フィン２１をハウジング１１に固定している。これにより、放熱フィン２１からも、基板１８、及び第２レンズ１５は、ハウジング１１に押し付けられている。
【００５８】
ハウジング１１は、その各部位を一体に成形できればよく、ハウジング１１を構成する材料は特に限定されない。ハウジング１１を構成する材料として、例えば、ポリブチレンテレフタレート樹脂等の耐熱性樹脂が挙げられる。耐熱性樹脂は、光源１９、及び太陽光等の熱源で生じた熱によりハウジング１１を熱膨張させにくくできる。耐熱性樹脂は、熱可塑性樹脂である。耐熱性樹脂は、ガラス粒子を含有してもよい。
【００５９】
第１レンズ１４は、光源１９からの光を透過させることができればよく、第１レンズ１４を構成する材料は特に限定されない。第１レンズ１４を構成する材料として、例えば、ガラス、ポリメタクリル酸メチル樹脂（ＰＭＭＡ）等のアクリル樹脂、及びポリカーボネート樹脂が挙げられる。
【００６０】
第２レンズ１５は、光源１９からの光を透過させることができればよく、第２レンズ１５を構成する材料は特に限定されない。第２レンズ１５を構成する材料として、例えば、ガラス、ポリメタクリル酸メチル樹脂（ＰＭＭＡ）等のアクリル樹脂、及びポリカーボネート樹脂が挙げられる。
【００６１】
本実施形態に係る照明装置１は、その目的を達成できれば、ヘッドアップディスプレイに限らず、プロジェクタのバックライト、室内用点灯装置、及び室外用点灯装置などの照明器具に適用可能である。
【００６２】
（第２実施形態）
次に第２実施形態に係る照明装置１を、図５Ａ〜図５Ｃを参照して説明する。第２実施形態は、第１実施形態に係る照明装置１の他例である。
【００６３】
本実施形態では、ばね部１３が、押付ばね部１３ａ、及び規制ばね部１３ｂに分けられている。すなわち押付ばね部１３ａ規制ばね部１３ｂとが別体である。この場合であっても、図５Ｂのように、規制部１２ａは光源１９から離れる向きのレンズ１４の移動を規制し、押付部１２ｂはレンズ１４を光源１９側に押し付ける。
【００６４】
本実施形態は、押付ばね部１３ａと規制ばね部１３ｂとが別体であることを除いて、第１実施形態の説明を参照する。
【００６５】
本実施解体に係る照明装置１において、ハウジング１１は、ばね部１３の代わりに、押付ばね部１３ａと、規制ばね部１３ｂと、を備える。
【００６６】
押付ばね部１３ａは、Ｘ方向に沿う弾性力を押付部１２ｂに作用させる弾性を有する。押付ばね部１３ａは、ハウジング本体１１ｄと、押付部１２ｂとを連結する。押付ばね部１３ａは、押付ばね部本体１３ｆと、連結部１３ｋとを備える。押付ばね部本体１３ｆは、押付ばね部１３ａに弾性を付与する部位である。押付ばね部本体１３ｆは、Ｚ方向に沿って延びている。押付ばね部本体１３ｆは、押付ばね部１３ａに弾性を付与することができればよく、押付ばね部本体１３ｆの具体的な態様は特に限定されない。押付ばね部本体１３ｆの形状は、例えば、板状である。また、押付ばね部本体１３ｆは、任意のばね形状を採用できる。
【００６７】
押付ばね部１３ａは、その上端の位置で、Ｘ方向に沿ってレンズ１４側へ突出した先端を備える。押付ばね部１３ａの先端の下面は、レンズ１４の外側へ下り傾斜した傾斜面とを備える。このようなばね部１３の先端の下面のうち、レンズ１４の外側へ下り傾斜した傾斜面が押付部１２ｂである。押付部１２ｂは、レンズ１４（具体的には、受け板１４ａ）と接触している。
【００６８】
連結部１３ｋは、押付部１２ｂに対して光源１９側にある。連結部１３ｋは、ハウジング本体１１ｄ、及び押付ばね部本体１３ｆと一体にして接続している。この場合、連結部１３ｋは、ハウジング本体１１ｄ、及び押付ばね部本体１３ｆと一体成形されている。具体的には、連結部１３ｋは、ハウジング本体１１ｄ、及び押付ばね部本体１３ｆの下端と一体成形されている。連結部１３ｋは、押付ばね部本体１３ｆの下端と連結しているため、押付ばね部１３ａは、連結部１３ｋ以外の位置で、ハウジング本体１１ｄと離間されている。例えば、押付ばね部本体１３ｆの、胴部、及び上端は、連結部１３ｋによりハウジング本体１１ｄと離間されている。
【００６９】
ハウジング１１は、連結部１３ｋから下方に延出した脚部を更に備える。この脚部は、基板１８と接触している。具体的には、押付ばね部１３ａの下方にある脚部は、基板１８と接触している（図５Ｃ参照）。
【００７０】
また、規制ばね部１３ｂは、Ｘ方向に沿う弾性力を規制部１２ａに作用させる弾性を有する。規制ばね部１３ｂは、ハウジング本体１１ｄと、規制部１２ａとを連結する。規制ばね部１３ｂは、規制ばね部本体１３ｅと、結合部１３ｈとを備える。規制ばね部本体１３ｅは、規制ばね部１３ｂに弾性を付与する部位である。規制ばね部本体１３ｅは、Ｚ方向に沿って延びている。規制ばね部本体１３ｅは、規制ばね部１３ｂに弾性を付与することができればよく、規制ばね部本体１３ｅの具体的な態様は特に限定されない。規制ばね部本体１３ｅの形状は、例えば、板状である。また、規制ばね部本体１３ｅは、任意のばね形状を採用できる。
【００７１】
規制ばね部１３ｂは、その上端の位置で、Ｘ方向に沿ってレンズ１４側へ突出した先端を備える。規制ばね部１３ｂの先端の下面は、Ｚ方向と交差する平面を備える。具体的には、規制ばね部１３ｂの先端の下面は、受け板１４ａの上面と平行な平面を備える。このような規制ばね部１３ｂの先端の下面のうち、Ｚ方向と交差する平面が規制部１２ａでである。規制部１２ａはレンズ１４と接触していてもよく、レンズ１４と離間していてもよい。具体的には、規制部１２ａは、受け板１４ａと接触していてもよく、受け板１４ａと離間していてもよい。
【００７２】
結合部１３ｈは、規制部１２ａに対して光源１９側にある。結合部１３ｈは、ハウジング本体１１ｄ、及び規制ばね部本体１３ｅと一体にして接続している。この場合、結合部１３ｈは、ハウジング本体１１ｄ、及び規制ばね部本体１３ｅと一体成形されている。具体的には、結合部１３ｈは、ハウジング本体１１ｄ、及び規制ばね部本体１３ｅの下端と一体成形されている。結合部１３ｈは、規制ばね部本体１３ｅの下端と接続しているため、規制ばね部１３ｂは、結合部１３ｈ以外の位置で、ハウジング本体１１ｄと離間されている。例えば、規制ばね部本体１３ｅの、胴部、及び上端は、結合部１３ｈによりハウジング本体１１ｄと離間されている。
【００７３】
また、ハウジング１１は、結合部１３ｈから下方に延出した脚部を更に備える。この脚部は、基板１８と接触している。具体的には、規制ばね部１３ｂの下方にある脚部は、基板１８と接触している（図５Ｂ参照）。
【００７４】
本実施形態に係る押付ばね部１３ａは、上記の通り、規制ばね部１３ｂと別体であるため、押付ばね部本体１３ｆは規制ばね部本体１３ｅと別体である。また、連結部１３ｋは、結合部１３ｈと別体であってもよく、結合部１３ｈと一体であってもよい。連結部１３ｋが結合部１３ｈと一体である場合、接続部１３ｇは、連結部１３ｋと結合部１３ｈとの両方を兼ねる。すなわち、接続部１３ｇは、押付ばね部本体１３ｆ、規制ばね部本体１３ｅ、及びハウジング本体１１ｄと一体である。
【００７５】
本実施形態では、押付ばね部１３ａは、規制ばね部１３ｂと別体であっても、押付ばね部１３ａ、及び規制ばね部１３ｂの各々は、ハウジング本体１１ｄと一体である。このため、ハウジング１１以外の部品数を減らすことができる。これにより、ハウジング１１の内部構造を複雑化させなくても、レンズ１４の位置ずれを抑制することができる。ハウジング１１の内部構造を一体化させることで、照明装置１のサイズを小さくすることができる。
【００７６】
また、本実施形態に係る照明装置１は、その目的を達成できれば、第１実施形態と同様、種々の照明器具に適用可能である。
【００７７】
＜映像表示システム、及び移動体＞
次に、一実施形態に係る、映像表示システム１０と、移動体１００と、を図１、及び図６〜図８を参照して説明する。
【００７８】
映像表示システム１０は、図６に示すように、第１実施形態、又は第２実施形態に係る照明装置１と、表示器２７と、表示制御装置２８と、投影部３とを備える。照明装置１と、表示器２７とは、一体にして組み立てられている。
【００７９】
表示器２７は、図１のように、カバー２７ａと、表示パネル２７ｃとを備える。
【００８０】
カバー２７ａは、ハウジング１１の上端を覆う板状の部材である。カバー２７ａの平面形状は、例えば、矩形である。カバー２７ａは、その厚み方向に沿って貫通して開口された開孔部２７ｂを備える。開孔部２７ｂは、表示パネル２７ｃの外周縁に沿って開口されている。開孔部２７ｂの平面形状は、表示パネル２７ｃよりも小さい。これにより、カバー２７ａの下方に表示パネル２７ｃを配置させても、表示パネル２７ｃは開孔部２７ｂで露出することができる。カバー２７ａは、その目的を達成できれば、カバー２７ａを構成する材料は特に限定されない。カバー２７ａを構成する材料として、例えば、ポリブチレンテレフタレート樹脂等の耐熱性樹脂、及び金属材料が挙げられる。耐熱性樹脂は、光源１９、及び太陽光等の熱源で生じた熱によりカバー２７ａを熱膨張させにくくできる。耐熱性樹脂は、熱可塑性樹脂である。
【００８１】
表示パネル２７ｃは、後述の虚像３００となる画像７００を形成する（図６参照）。表示パネル２７ｃは、レンズ１４とカバー２７ａとの間に配置されている。この場合、表示パネル２７ｃの上面は、カバー２７ａの下面と接触していてもよい。また、表示パネル２７ｃは、表示制御装置２８から出力された出力情報を画像７００として形成する。表示パネル２７ｃの一例は、液晶パネル（ＬＣＤ：Ｌｉｑｕｉｄ  Ｃｒｙｓｔａｌ  Ｄｉｓｐｌａｙ）である。
【００８２】
表示パネル２７ｃに画像７００が表示された状態で、光源１９を発光させることにより、光源１９からの光が、表示パネル２７ｃを透過する。このとき表示パネル２７ｃを透過した光は、表示パネル２７ｃに表示された画像７００を反映した光である。したがって、カバー２７ａ側から表示パネル２７ｃを見たとき、光源１９からの光と共に画像７００を視認できる。
【００８３】
表示制御装置２８は、照明装置１、及び表示器２７を制御する装置である。表示制御装置２８は、図６のように、照明装置１と、表示器２７とに接続されている。表示制御装置２８は、運転支援情報から、照明装置１、及び表示器２７の各々に対応した出力情報を生成する。そして、表示制御装置２８は、照明装置１、及び表示器２７の各々に出力情報を出力して、照明装置１、及び表示器２７を制御する。
【００８４】
運転支援情報として、例えば、車速情報、ナビゲーション情報、歩行者情報、前方車両情報、車線逸脱情報、及び車両コンディション情報が挙げられる。これらのうち、１種又は２種以上の運転支援情報から、表示制御装置２８は出力情報を生成できる。
【００８５】
表示制御装置２８は、例えば、ＣＰＵ（Ｃｅｎｔｒａｌ  Ｐｒｏｃｅｓｓｉｎｇ  Ｕｎｉｔ）及びメモリを主構成とするマイクロコンピュータにて構成されている。言い換えれば、表示制御装置２８は、ＣＰＵ及びメモリを有するコンピュータにて実現されており、ＣＰＵがメモリに格納されているプログラムを実行することにより、コンピュータが表示制御装置２８として機能する。プログラムは、ここでは表示制御装置２８のメモリに予め記録されているが、インターネット等の電気通信回線を通じて、又はメモリカード等の記録媒体に記録されて提供されてもよい。
【００８６】
表示制御装置２８が表示器２７を制御することで、表示パネル２７ｃは任意の画像７００を形成する。すなわち、表示制御装置２８は、ソフトウェア処理により、表示パネル２７ｃに任意の映像コンテンツを表示（描画）させることができ、これにより、表示パネル２７ｃに任意の画像７００が形成される。
【００８７】
また、表示制御装置２８が照明装置１を制御することで、照明装置１は、表示器２７のバックライトとして機能する。これにより、表示パネル２７ｃで形成された画像７００を、投影部３に出力することができる。
【００８８】
投影部３は、図６に示すように、第１ミラー３１と、第２ミラー３２とを備える。第１ミラー３１及び第２ミラー３２は、照明装置１から出力される光の光路上に、第１ミラー３１、第２ミラー３２の順で配置されている。第１ミラー３１及び第２ミラー３２は光学素子である。投影部３は、後述のダッシュボード１０２内に配置されている。
【００８９】
本実施形態に係る一例では、表示器２７、第１ミラー３１、及び第２ミラー３２は、図７のように、鉛直面内に形成される三角形の頂点位置に配置されている。ここでいう「鉛直面」は、表示器２７を透過した出力光の進行方向（光軸）を含む平面である。投影部３は、表示器２７を透過した出力光を、まずは第１ミラー３１で反射し、更に第２ミラー３２で反射する。
【００９０】
第１ミラー３１は、表示器２７を透過した出力光を受光するように、表示器２７から見て照明装置１とは反対側、つまり出力光の下流側に配置されている。第１ミラー３１は、表示器２７を透過した出力光を、第２ミラー３２に向けて反射する。
【００９１】
第２ミラー３２は、第１ミラー３１で反射された出力光を受光するような位置に配置されている。出力光の受光後、第２ミラー３２は、出力光を対象物１０１に反射する。
【００９２】
本実施形態では、第１ミラー３１は凸面鏡であって、第２ミラー３２は凹面鏡である。
【００９３】
映像表示システム１０は、移動体１００のヘッドアップディスプレイに採用されてもよい。移動体１００として、例えば、自動車、自動二輪車、及び電車等の車輌、航空機、建設機械、並びに船舶が挙げられる。また、映像表示システム１０は、移動体１００に限らず、例えば、アミューズメント施設で用いられてもよいし、ヘッドマウントディスプレイ（ＨＭＤ：Ｈｅａｄ  Ｍｏｕｎｔｅｄ  Ｄｉｓｐｌａｙ）等のウェアラブル端末、医療設備、又は据置型の装置として用いられてもよい。さらにまた、映像表示システム１０は、例えば、電子ビューファインダ等として、デジタルカメラ等の機器に組み込まれて使用されてもよい。
【００９４】
映像表示システム１０が移動体１００に採用される場合、映像表示システム１０は、後述のダッシュボード１０２内に配置されている。
【００９５】
移動体１００は、図７のように、映像表示システム１０と、移動体本体１０３とを備える。移動体本体１０３は、映像表示システム１０からの出力光を投影するための対象物１０１と、映像表示システム１０を収容しているダッシュボード１０２とを備える。移動体本体１０３は、移動体１００の主要な構造を構成する。対象物１０１は、移動体１００内のユーザ（具体的には、運転者）２００が対象物１０１越しで移動体１００外の風景を視認できるような透明性を有する。ダッシュボード１０２は、対象物１０１の下方に配置されている。
【００９６】
ダッシュボード１０２は、第２ミラー３２の上方で開口している。すなわち、ダッシュボード１０２内の空間は、移動体１００内の空間と連続している。これにより、第２ミラー３２は、第１ミラー３１で反射された出力光を、対象物（例えば、ウインドシールド）１０１に向けて反射する。すなわち、投影部３に出力光として出力された画像７００は、投影部３で反射されて対象物（例えば、ウインドシールド）１０１に向けて出射される。これにより、移動体１００内のユーザ２００は、移動体１００の前方（車外）の対象空間４００に投影された虚像３００を、対象物１０１越しに視認する。
【００９７】
また、上記の通り、第１ミラー３１が凸面鏡であり、第２ミラー３２が凹面鏡であることで、投影部３は、表示パネル２７ｃに形成される画像７００（図６参照）を、適当な大きさに調節する。このようにして調節された画像７００は、投影画像として対象物１０１に投影する。これにより、投影画像からなる虚像３００が、対象空間４００に投影される（図８参照）。つまり、移動体１００を運転しているユーザ２００は、移動体１００の前方に広がる実空間に重ねて、映像表示システム１０にて投影される虚像３００を見ることができる。
【００９８】
対象空間４００に形成される虚像３００は、図８のように、少なくとも第１虚像３０１と第２虚像３０２との２種類の虚像を含んでいる。ここでいう「第１虚像」は、例えば、ナビゲーション情報に基づいた、移動体１００の進行方向を示す情報であり、路面６００上に右折又は左折を示す矢印を提示すること等が可能である。この種の第１虚像３０１は、拡張現実（ＡＲ：Ａｕｇｍｅｎｔｅｄ  Ｒｅａｌｉｔｙ）技術を用いて表示される画像ある。また、第１虚像３０１は、ユーザ２００から見た現実の風景（例えば、路面６００、建物、周辺車両、及び歩行者）における特定の位置に重畳して表示される。第２虚像３０２は、例えば、車速情報であり、現在の移動体１００の速度を提示すること等が可能である。図８では、第１虚像３０１は、一例として、移動体（具体的には、自動車）１００の前方の丁字路上に「左折」を指示する矢印を表している。第２虚像３０２は、一例として、「５０ｋｍ／ｈ」という情報を表示している。
【００９９】
対象空間４００に形成される虚像３００は、図７のように、軸５００と交差する仮想面５０１上に形成される。軸５００は、表示器２７を透過した出力光の光軸と交差し、移動体１００の前方に形成された仮想軸である。本実施形態において、移動体１００が車輌である場合、軸５００は、移動体１００の前方の対象空間４００において、移動体１００の前方の路面６００に沿っている。そして、虚像３００が形成される仮想面５０１は、路面６００に対して略垂直である。例えば、路面６００が水平面である場合には、虚像３００は鉛直面に沿って表示されることになる。
【０１００】
例えば、図８のような虚像３００を対象空間４００に投影する場合、第１虚像３０１の内容（矢印の向き、位置等）、及び第２虚像３０２の内容（速度等）は、表示制御装置２８にて決定される。さらに、表示制御装置２８は、表示パネル２７ｃおける画像７００の位置も決定する。要するに、表示制御装置２８は、例えば、第１虚像３０１に対応する画像７００を、表示パネル２７ｃの一部に表示させるができる。また、表示パネル２７ｃの他の部分に、表示制御装置２８は、第２虚像３０２に対応する画像７００を表示させるもできる。表示パネル２７ｃにおける画像７００の位置が変化すれば、虚像３００の表示位置も変化する。
【０１０１】
本実施形態は、本開示を実施するための様々な形態の一つに過ぎない。本実施形態は、本開示の目的を達成できれば、設計等に応じて種々の変更が可能である。例えば、本実施形態に係る映像表示システム１０は、単体の表示装置である。しかし、映像表示システム１０は、その目的を達成できれば、単体の表示装置で具現化されることに限らない。例えば、映像表示システムの制御方法、コンピュータプログラム、又はプログラムを記憶した記憶媒体等で、本実施形態に係る態様が具現化されてもよい。本実施形態に係る態様は、以下の構成を組み合わせることもできる。
【０１０２】
対象空間４００に、第１虚像３０１及び第２虚像３０２のように２種類の虚像３００が投影されることは映像表示システム１０に必須の構成でなくてもよく、対象空間４００には、１種類の虚像３００のみが投影されてもよい。さらに、虚像３００が第１虚像３０１のように拡張現実技術を用いて表示される画像を含むことは、映像表示システム１０に必須の構成でなくてもよい。
【０１０３】
映像表示システム１０は、移動体１００の進行方向の前方に設定された対象空間４００に虚像３００を投影する構成に限らず、例えば、移動体１００の進行方向の側方、後方、又は上方等に虚像３００を投影してもよい。
【０１０４】
対象空間４００に、路面６００に対して垂直な虚像３００だけでなく、路面６００に沿って表示される虚像３００を投影させてもよい。すなわち、路面６００に沿って奥行きをもって視認される虚像３００を表示させてもよい。
【０１０５】
また、投影部３は、少なくとも光学素子を有していればよく、第１ミラー３１及び第２ミラー３２の２つのミラーを有することは必須でなく、ミラーを１つのみ、又は３つ以上有していてもよい。
【０１０６】
（まとめ）
上記説明の通り、第１態様は、照明装置（１）であって、ハウジング（１１）と、レンズ（１４）とを備える。レンズ（１４）は、光源（１９）からハウジング（１１）の外側に出射される光の出射方向（Ｚ方向）において光源（１９）と対向する位置にあり、光源（１９）からの光を通す。ハウジング（１１）は、規制部（１２ａ）と、押付部（１２ｂ）と、を有する。規制部（１２ａ）は、光源（１９）から離れる向きのレンズ（１４）の移動を規制する。押付部（１２ｂ）は、レンズ（１４）を光源（１９）側に押し付ける。
【０１０７】
第１態様によれば、押付部（１２ｂ）でレンズ（１４）をハウジング（１１）の内に保持させることができ、また、レンズ（１４）が押付部（１２ｂ）から脱落しても、規制部（１２ａ）でレンズ（１４）の脱落を規制することができる。このため、押付部（１２ｂ）と規制部（１２ａ）とでレンズ（１４）をハウジング（１１）の内に保持することができる。これにより、ハウジング（１１）の内部構造を複雑化させなくても、レンズ（１４）の位置ずれを抑制することができる。
【０１０８】
第２態様は、第１態様の照明装置（１）であって、ハウジング（１１）は、ハウジング本体（１１ｄ）と、弾性を有する押付ばね部（ばね部１３；１３ａ）と、更に有する。押付ばね部（ばね部１３；１３ａ）は、ハウジング本体（１１ｄ）と、押付部（１２ｂ）と、を連結する。押付ばね部（ばね部１３；１３ａ）は、光の出射方向（Ｚ方向）と交差する方向に沿う弾性力を押付部（１２ｂ）に作用させる。
【０１０９】
第２態様によれば、押付部（１２ｂ）に弾性力を作用させることで、レンズ（１４）をハウジング（１１）の内に保持させることができる。このため、ハウジング（１１）の内部構造を複雑化させなくても、レンズ（１４）の位置ずれを抑制することができる。
【０１１０】
第３態様は、第１又は第２態様の照明装置（１）であって、ハウジング（１１）は、ハウジング本体（１１ｄ）と、弾性を有する規制ばね部（ばね部１３；１３ｂ）と、更に有する。規制ばね部（ばね部１３；１３ｂ）は、ハウジング本体（１１ｄ）と、規制部（１２ａ）と、を連結する。規制ばね部（ばね部１３；１３ｂ）は、光の出射方向（Ｚ方向）と交差する方向に沿う弾性力を規制部（１２ａ）に作用させる。
【０１１１】
第３態様によれば、規制部（１２ａ）に弾性力を作用させることで、レンズ（１４）が押付部（１２ｂ）から脱落しても、規制部（１２ａ）でレンズ（１４）の脱落を規制することができる。このため、ハウジング（１１）の内部構造を複雑化させなくても、レンズ（１４）の位置ずれを抑制することができる。
【０１１２】
第４態様は、第１〜第３態様のいずれか１つの照明装置（１）であって、押付ばね部（ばね部１３；１３ａ）と、規制ばね部（ばね部１３；１３ｂ）とは一体である。
【０１１３】
第４態様によれば、ハウジング（１１）中の構造を簡略化できるため、ハウジング（１１）の内部構造を複雑化させなくても、レンズ（１４）の位置ずれを抑制することができる。
【０１１４】
第５態様は、第１〜第４態様のいずれか１つの照明装置（１）であって、押付ばね部（ばね部１３；１３ａ）は、押付ばね部本体（ばね部本体１３ｃ；１３ｆ）と、連結部（接続部１３ｇ；１３ｋ）と、を更に備える。連結部（接続部１３ｇ；１３ｋ）は、押付部（１３ａ）に対して光源（１９）側にあり、押付ばね部本体（ばね部本体１３ｃ；１３ｆ）とハウジング本体（１１ｄ）と連結する。押付ばね部本体（ばね部本体１３ｃ；１３ｆ）は、光の出射方向（Ｚ方向）に沿って、延びている。規制ばね部（ばね部１３；１３ｂ）は、規制ばね部本体（ばね部本体１３ｃ；１３ｅ）と、結合部（接続部１３ｇ；１３ｋ）と、を備える。結合部（接続部１３ｇ；１３ｋ）は、規制部（１２ａ）に対して光源（１９）側にあり、規制ばね部本体（ばね部本体１３ｃ；１３ｅ）とハウジング本体（１１ｄ）と結合する。規制ばね部本体（ばね部本体１３ｃ；１３ｅ）は、光の出射方向（Ｚ方向）に沿って、延びている。
【０１１５】
第５態様によれば、押付部（１２ｂ）と規制部（１２ａ）とでレンズ（１４）をハウジング（１１）の内に保持することができる。このため、ハウジング（１１）の内部構造を複雑化させなくても、レンズ（１４）の位置ずれを抑制することができる。
【０１１６】
第６態様は、第１〜第５態様のいずれか１つの照明装置（１）であって、規制部（１２ａ）は、光の出射方向（Ｚ方向）と交差する平面である。押付部（１２ｂ）は、規制部（１２ａ）に対して傾斜した傾斜面である。押付部（１２ｂ）は、規制部（１２ａ）と隣接している。
【０１１７】
第６態様によれば、押付部（１２ｂ）と規制部（１２ａ）とでレンズ（１４）をハウジング（１１）の内に保持することができる。このため、ハウジング（１１）の内部構造を複雑化させなくても、レンズ（１４）の位置ずれを抑制することができる。
【０１１８】
第７態様は、第１〜第６態様のいずれか１つの照明装置（１）であって、第２レンズ（１５）を更に備える。第２レンズ（１５）は、レンズ（１４）である第１レンズとは別のレンズである。第２レンズ（１５）は、光源（１９）と第１レンズ（１４）との間にある。ハウジング（１１）は、第２レンズ（１５）を、光源（１９）が実装された基板（１８）に対して押し付ける押圧部（１６ｂ）を更に有する。
【０１１９】
第７態様によれば、第１レンズ（１４）と、第２レンズ（１５）との両方をハウジング（１１）内に保持することができる。このため、ハウジング（１１）の内部構造を複雑化させなくても、レンズ（１４）の位置ずれを抑制することができる。
【０１２０】
第８態様は、第１〜第７態様のいずれか１つの照明装置（１）であって、ハウジング（１１）は、位置決め部（１７）を更に有する。位置決め部（１７）は、光の出射方向（Ｚ方向）と交差し、レンズ（１４）を支持する平面において、レンズ（１４）を位置決めする。
【０１２１】
第８態様によれば、ハウジング（１１）以外の部品数を増加させず、ハウジング（１１）の内部構造を複雑化させなくても、レンズ（１４）の位置ずれを抑制することができる。
【０１２２】
第９態様は、第１〜第８態様のいずれか１つの照明装置（１）であって、押付部（１２ｂ）は、少なくとも２箇所にある。少なくとも２箇所の押付部（１２ｂ）は、レンズ（１４）を挟んでいる。
【０１２３】
第９態様によれば、ハウジング（１１）以外の部品数を増加させず、ハウジング（１１）の内部構造を複雑化させなくても、レンズ（１４）の位置ずれを抑制することができる。
【０１２４】
第１０態様は、映像表示システム（１０）であって、照明装置と、表示装置（２７）と、を備える。照明装置は、第１〜第９態様のいずれか１つの照明装置（１）である。
【０１２５】
第１０態様によれば、押付部（１２ｂ）でレンズ（１４）をハウジング（１１）の内に保持させることができ、さらに、レンズ（１４）が押付部（１２ｂ）から脱落しても、規制部（１２ａ）でレンズ（１４）の脱落を規制することができる。このため、押付部（１２ｂ）と規制部（１２ａ）とでレンズ（１４）をハウジング（１１）の内に保持することができる。これにより、ハウジング（１１）の内部構造を複雑化させなくても、レンズ（１４）の位置ずれを抑制することができる。
【０１２６】
第１１態様は、移動体（１００）であって、映像表示システムと、移動体本体（１０３）と、を備える。映像表示システムは、第１０態様の映像表示システム（１０）である。映像表示システム（１０）は、移動体本体（１０３）に搭載されている。
【０１２７】
第１１態様によれば、ハウジング（１１）の内部構造を複雑化させなくても、レンズ（１４）の位置ずれを抑制することができる。
【０１２８】
第１１態様によれば、押付部（１２ｂ）でレンズ（１４）をハウジング（１１）の内に保持させることができ、さらに、レンズ（１４）が押付部（１２ｂ）から脱落しても、規制部（１２ａ）でレンズ（１４）の脱落を規制することができる。このため、押付部（１２ｂ）と規制部（１２ａ）とでレンズ（１４）をハウジング（１１）の内に保持することができる。これにより、ハウジング（１１）の内部構造を複雑化させなくても、レンズ（１４）の位置ずれを抑制することができる。
【符号の説明】
【０１２９】
１        照明装置
１１      ハウジング
１２ａ    規制部
１２ｂ    押付部
１３      ばね部（押付ばね部１３ｂ、規制ばね部１３ａ）
１４      レンズ
１５      第２レンズ
１６ｂ    押圧部
１７      位置決め部
１８      基板
１９      光源
１０      映像表示システム
２７      表示器
１００    移動体
１０３    移動体本体
【図１】
2019179720.tif 000003
【図２】
2019179720.tif 000004
【図３】
2019179720.tif 000005
【図４】
2019179720.tif 000006
【図５】
2019179720.tif 000007
【図６】
2019179720.tif 000008
【図７】
2019179720.tif 000009
【図８】
2019179720.tif 000010